【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第１の仮想キーは、前記第２の仮想キーに隣接したものである、方法。
【請求項２】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第２の仮想キーは、削除キーである、方法。
【請求項３】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第２の仮想キーのアクチベーションは、付加的な確認ジェスチャーの検知を必要とする、方法。
【請求項４】
前記付加的な確認ジェスチャーは、ウィグルジェスチャーである、請求項３に記載の方法。
【請求項５】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第１の仮想キーは、前記第２の仮想キーに隣接したものである、方法。
【請求項６】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーは、削除キーである、方法。
【請求項７】
マルチポイント感知タッチスクリーンディスプレイ、プロセッサ及びメモリを伴うコンピューティング装置において、
前記マルチポイント感知タッチスクリーンディスプレイ上のユーザによるタッチを検知するステップと、
ユーザのタッチに応答して前記マルチポイント感知タッチスクリーンディスプレイにより生成される信号を処理することにより前記ユーザのタッチの振舞いを決定するステップであって、その振舞いは、空間ドメインの振舞い及び時間ドメインの振舞いを含むものであるステップと、
前記メモリ内のデータ構造体にアクセスするステップであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるステップと、
前記ユーザのタッチの前記決定された振舞いを仮想キーに対する所定の振舞い特性とマッチングさせるステップと、
仮想キーに対する前記マッチングされた所定の振舞い特性に対応する前記データ構造体内の仮想キーに対する反応を決定するステップと、
前記決定された反応に対応するアクションを遂行するステップと、
を備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーのアクチベーションは、付加的な確認ジェスチャーの検知を必要とする、方法。
【請求項８】
前記付加的な確認ジェスチャーは、ウィグルジェスチャーである、請求項７に記載の方法。
【請求項９】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１の圧力を必要とし、前記複数の仮想キーのうちの第２の仮想キーは、作動されるべき第２の圧力を必要とし、前記第１の圧力は、前記第２の圧力より小さく、
前記第１の仮想キーは、前記第２の仮想キーに隣接したものである、コンピューティング装置。
【請求項１０】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１の圧力を必要とし、前記複数の仮想キーのうちの第２の仮想キーは、作動されるべき第２の圧力を必要とし、前記第１の圧力は、前記第２の圧力より小さく、
前記第２の仮想キーは、削除キーである、コンピューティング装置。
【請求項１１】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１の圧力を必要とし、前記複数の仮想キーのうちの第２の仮想キーは、作動されるべき第２の圧力を必要とし、前記第１の圧力は、前記第２の圧力より小さく、
前記第２の仮想キーのアクチベーションは、付加的な確認ジェスチャーの検知を必要とする、コンピューティング装置。
【請求項１２】
前記付加的な確認ジェスチャーは、ウィグルジェスチャーである、請求項１１に記載の装置。
【請求項１３】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第１の仮想キーは、前記第２の仮想キーに隣接したものである、コンピューティング装置。
【請求項１４】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーは、削除キーである、コンピューティング装置。
【請求項１５】
マルチポイント感知タッチスクリーンディスプレイと、
プロセッサと、
メモリと、
前記メモリに記憶され、前記プロセッサにより実行されるように構成された１つ以上のプログラムであって、
前記マルチポイント感知タッチスクリーンディスプレイ上のユーザによるタッチを検知するインストラクション、
ユーザのタッチに応答して前記マルチポイント感知タッチスクリーンディスプレイにより生成される信号を処理することにより前記ユーザのタッチの振舞いを決定するインストラクションであって、その振舞いは、空間ドメインの振舞い及び時間ドメインの振舞いを含むものであるインストラクション、
前記メモリ内のデータ構造体にアクセスするインストラクションであって、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであるインストラクション、
前記ユーザのタッチの前記決定された振舞いを仮想キーに対する所定の振舞い特性とマッチングさせるインストラクション、
仮想キーに対する前記マッチングされた所定の振舞い特性に対応する前記データ構造体内の仮想キーに対する反応を決定するインストラクション、及び
前記決定された反応に対応するアクションを遂行するインストラクション、
を含むものである１つ以上のプログラムと、
備え、前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーのアクチベーションは、付加的な確認ジェスチャーの検知を要求する、コンピューティング装置。
【請求項１６】
前記付加的な確認ジェスチャーは、ウィグルジェスチャーである、請求項１５に記載の装置。
【請求項１７】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第１の仮想キーは、前記第２の仮想キーに隣接したものである、コンピュータ読み取り可能な記憶媒体。
【請求項１８】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第１の仮想キーは、削除キーである、コンピュータ読み取り可能な記憶媒体。
【請求項１９】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１圧力を必要とし、前記複数の仮想キーのうちの第２の仮想キーは、作動されるべき第２圧力を必要とし、前記第１圧力は、前記第２圧力より小さく、
前記第２の仮想キーのアクチベーションは、付加的な確認ジェスチャーの検知を必要とする、コンピュータ読み取り可能な記憶媒体。
【請求項２０】
前記付加的な確認ジェスチャーは、ウィグルジェスチャーである、請求項１９に記載のコンピュータ読み取り可能な記憶媒体。
【請求項２１】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第１の仮想キーは、前記第２の仮想キーに隣接したものである、コンピュータ読み取り可能な記憶媒体。
【請求項２２】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーは、削除キーである、コンピュータ読み取り可能な記憶媒体。
【請求項２３】
１つ以上のプログラムを記憶するコンピュータ読み取り可能な記憶媒体において、その１つ以上のプログラムは、マルチポイント感知タッチスクリーンディスプレイを伴うコンピューティング装置により実行されたときに、その装置が、
前記マルチポイント感知タッチスクリーンディスプレイ上のユーザによるタッチを検知し、
ユーザのタッチに応答して前記マルチポイント感知タッチスクリーンディスプレイにより生成される信号を処理することにより前記ユーザのタッチの振舞いを決定し、その振舞いは、空間ドメインの振舞い及び時間ドメインの振舞いを含むものであり、
前記メモリ内のデータ構造体にアクセスし、そのデータ構造体は、
複数の仮想キー、
前記複数の仮想キーのうちの各仮想キーに対して、
前記空間ドメイン及び／又は時間ドメインにおける振舞いの所定値を各々が含む複数の所定の振舞い特性、及び
前記複数の所定の振舞い特性のうちの各所定の振舞い特性に対する各々の反応、
を表すデータを含むものであり、更に、
前記ユーザのタッチの前記決定された振舞いを仮想キーに対する所定の振舞い特性とマッチングさせ、
仮想キーに対する前記マッチングされた所定の振舞い特性に対応する前記データ構造体内の仮想キーに対する反応を決定し、そして
前記決定された反応に対応するアクションを遂行する、
ようにさせるインストラクションを含むものであり、
前記複数の仮想キーのうちの第１の仮想キーは、作動されるべき第１のタッチ期間を必要とし、前記複数の仮想キーのうちの第２の仮想キーは、作動されるべき第２のタッチ期間を必要とし、前記第１のタッチ期間は、前記第２のタッチ期間より短く、
前記第２の仮想キーのアクチベーションは、付加的な確認ジェスチャーの検知を必要とする、コンピュータ読み取り可能な記憶媒体。
【請求項２４】
前記付加的な確認ジェスチャーは、ウィグルジェスチャーである、請求項２３に記載のコンピュータ読み取り可能な記憶媒体。